(57)【特許請求の範囲】
【請求項１】
患者に接続可能な複数の電極（Ｅ１、Ｅ２・・・Ｅｎ）を含み、前記複数の電極のうちの少なくとも２つが、該少なくとも２つの電極（Ｅ１、Ｅ２）を患者に取り付ける互いの位置を定める非文字数字式記号（１３０）を有しており、各々が、前記電極（Ｅ１、Ｅ２・・・Ｅｎ）のうちの一つにそれぞれ着脱可能に接続された複数のリード線（１１５）が設けられた、リードセットと、該リードセットに接続された中央ユニット（１１０）と、を備え、
各々のリード線（１１５）が、該リード線（１１５）に接続されるべき電極を定める非文字数字式記号（２１５）を有し、
前記複数のリード線（１１５）の前記非文字数字式記号（２１５）が、該リード線（１１５）に接続されるそれぞれの電極の非文字数字式記号（１３０）と同じであることを特徴とする生理信号分析装置（１００）。
【請求項２】
前記リードセットが、インタフェース・ケーブル（２００）を含み、該インタフェース・ケーブル（２００）が、前記複数のリード線（１１５）を含み、また該インタフェース・ケーブル（２００）が、前記複数の電極を前記中央ユニット（１１０）に接続していることを特徴とする、請求項１に記載の装置（１００）。
【請求項３】
各々の非文字数字式記号（１３０）が、それぞれ、各々の電極についての印（１７０）を含むことを特徴とする、請求項１に記載の装置（１００）。
【請求項４】
各々の印（１７０）が、少なくとも１つのドットを含むことを特徴とする、請求項３に記載の装置（１００）。
【請求項５】
各々の印（１７０）が、寸法、数、又は位置のうちの少なくとも１つによって前記少なくとも１つの非文字数字式記号（１３０）を変化させることを特徴とする、請求項４に記載の装置（１００）。
【請求項６】
各々の印（１７０）が、陰をつけられた図形の部分を含むことを特徴とする、請求項３に記載の装置（１００）。
【請求項７】
各々の印（１７０）が、顔の少なくとも一部分を含むことを特徴とする請求項３に記載の装置（１００）。
【請求項８】
前記装置（１００）が、心電図用モニタであり、前記電極が、使い捨て可能な心電図用電極であることを特徴とする、請求項１乃至７のいずれかに記載の装置（１００）。
【請求項９】
前記複数の電極が、胸部に取り付けられる６個の電極（Ｖ１、Ｖ２、Ｖ３、Ｖ４、Ｖ５及びＶ６）と、右腕（ＲＡ）、左腕（ＬＡ）、左脚（ＬＬ）及び右脚（ＲＬ）にそれぞれ取り付けられる４個の電極を含むことを特徴とする、請求項１乃至８のいずれかに記載の装置（１００）。
【発明の詳細な説明】
【０００１】
【発明の属する技術分野】
本発明は、生理信号分析装置に関し、具体的には、複数の電極リードを有する生理信号分析装置に関する。
【０００２】
【従来の技術】
１２リードＥＣＧ（心電図）を取得するには、患者に１０個の電極を取り付けることが必要である。ここで「静止」又は「診断」取付け方法と呼ばれる第１の取付け方法において、看護人（例えば、医者、看護士、補佐者、技術者など）が、患者の胸部に６個の電極を、また患者の四肢に４個の電極を取り付ける。胸部にわたる６個の電極は、Ｖ電極（即ち、Ｖ１、Ｖ２、Ｖ３、Ｖ４、Ｖ５及びＶ６）として知られている。四肢に取り付けられる４個の電極は、右腕（ＲＡ）、左腕（ＬＡ）、左脚（ＬＬ）及び右脚（ＲＬ）電極として知られている。診断ＥＣＧの場合は、四肢用電極の正しい取付け位置は、四肢上である。即ち、従来、四肢用電極は、四肢の端部に取り付けられた（例えば、ＲＡ電極は右手首に取り付けられ、ＲＬ電極は右足首に取り付けられるなど）。現在は、四肢用電極は、四肢のより近位に取り付けられる。
【０００３】
ここで「モニタリング」取付け方法と呼ばれる第２の取付け方法において、看護人は、「四肢」用電極を患者の胴部に取り付ける。即ち、看護人は、「四肢」用電極を肩部及び臀部に、又はそれらの近位に取り付ける。モニタリング取付け方法は、一般に、ストレス、運動、適合活動、胴部、Ｍａｓｏｎ−Ｌｉｋｕｒ、ルンド、及び／又はＫｒｕｃｏｆｆ取付け方法と呼ばれる方法を含む。「四肢」用電極を患者の胴部に取り付けることにより、患者はより自由に四肢を動かすことができる。また、電極を四肢から離して移動させることにより、四肢の筋肉活動からのノイズのピックアップが減少される。
【０００４】
【課題を解決するための手段】
モニタリング取付け方法を用いて記録されたＥＣＧは、診断取付け方法を用いて同じ患者について記録された心電図と臨床的に異なることがあることが十分に立証された。これらの相異は、連続的にＥＣＧを比較する際に、真の変化を隠すか、又は誤った変化をもたらすことがある。従って、モニタリング取付け方法によって得られる動きの自由度、及びアーチファクトの減少をもたらしながら、可能な限り標準の診断ＥＣＧのように記録するＥＣＧを提供する電極取付け方法を用いることが有益である。
【０００５】
従って、本発明は、ここでは「非対称的」取付け方法と呼ばれる取付け方法を提供する。非対称的取付け方法の一つの実施形態の場合は、看護人は、従来の方法で普通に取り付けられるように、６個の胸部（即ち「Ｖ」）電極を患者の胸部に接続し、右脚電極を四肢か又は胴部のいずれかに取り付け、左脚電極及び右腕電極を胴部に、また左腕電極を四肢に取り付ける。
【０００６】
いずれの取付け法を用いるかに関係なく、看護人が、電極を間違って患者に取り付けるか、或いは２つ又はそれ以上のリード線を間違って誤った電極に接続することがある。例えば、看護人は、リード線を間違って誤った電極に接続することがある。生理信号分析装置では、リードが患者の身体の特定位置に取り付けられた電極に接続されることが求められる。このエラーは、ここでは「リード反転」と呼ばれる。第２の取付けのエラーは、看護人が、電極を患者の身体の誤った場所に取り付けるときに生じる。このエラーは、ここでは「リード取付けエラー」と呼ばれる。これらの問題により、生理信号分析装置は不正確な又は使用不能なＥＣＧを取得することになる。従って、看護人が患者の身体の正しい位置に電極を取り付けるのを助け、またリード線を正しい電極に取り付けるのを助ける装置を有することが有益である。
【０００７】
従って、１つの実施形態において、本発明は、リードセットと、該リードセットに接続された中央ユニットを含む生理信号分析装置を提供する。このリードセットには、患者に接続することができる複数の電極が含まれる。各々の電極は、他の電極に関連して、患者への電極取付け位置を定める非文字数字式記号を有する。このリードセットは、複数のリード線を更に含む。各々のリード線は、それぞれ電極の１つに接続され、該リード線に接続される電極を定める記号を有する。
【０００８】
別の実施形態において、本発明は、ライナ及び該ライナに結合された第１及び第２の電極を有する生理信号電極のパックを提供する。第１の電極は、第１の非文字数字式記号を有し、ライナから取り外すことができ、また患者に接続可能である。第２の電極は、第２の非文字数字式記号を有し、ライナから取り外すことができ、また患者に接続可能である。第２の非文字数字式記号は、第１の電極に関連して、患者への第２の電極の取付け位置を定める。本発明の他の実施形態、特徴及び利点は、詳細な説明及び添付の図面を考察することによって明らかになるであろう。
【０００９】
【発明の実施の形態】
本発明のいずれかの実施形態を説明する前に、本発明は、その適用において、以下の説明において述べられるか又は以下の図面において示される構成部品の構成の詳細及び配置に限定されないことを理解されたい。本発明は、他の実施形態も可能であり、種々の方法で実施又は実行することも可能である。また、ここで用いられる表現や用語は、説明のためであって、限定として見なされるべきでないことを理解されたい。ここでの「含んでいる」、「備えている」又は「有している」及びそれらの変形の使用は、その後に列挙される事項及びその均等物ならびに追加の事項を含むように意図されているものである。
【００１０】
図１に生理信号分析装置１００が概略的に示される。ここで用いられる用語「生理信号分析装置」は、とりわけ、患者の心臓により生成される電気信号を取得する如何なる装置も含む。例としての生理モニタリング装置は、心電計（ＥＣＧ）と、患者用モニタとを備える。生理信号分析装置１００は、心臓の電気的活動以外の生理信号を取得することもあることが考えられる。例えば、生理信号分析装置１００が患者用モニタである場合には、該モニタは、患者の血圧、呼吸機能などのような他の生理信号を取得することができる。
【００１１】
大まかに言えば、装置１００は、１つ又はそれ以上の生理信号入力装置１０５と、中央ユニット１１０を含む。１つ又はそれ以上の生理信号入力装置１０５は、患者に接続可能であり、患者の心臓によって生成される電気的活動を感知する複数の電極Ｅ1、Ｅ2・・・Ｅnを含む。電極Ｅ1、Ｅ2・・・Ｅnの数、及びどのようにして電極を患者へ接続するかは、（例えば、標準の１２リード形態を用いること、フランクのＸＹＺ心電図形態を用いることなどにより）変えることができる。図示される実施形態については、電極の数は１０個であり、該電極は、１２リード形態又は方法（後に更に説明する）で患者に接続される。更に、電極の型を変えることもできる。１つの電極の特定の実施形態が図２に示される。
【００１２】
図２に示すように、電極Ｅ1は、患者に接続される（例えば、取り付けられる）「使い捨て可能な」電極であり、リード線１１５が、電極Ｅ1に接続される（例えば、クリップ留めされる）。ここで用いられる用語「接続」及びその変形（例えば、接続する、接続される、接続しているなど）は、直接的及び間接的な接続を含む。特に明記していない場合は、この接続は、機械的、電気的、化学的、及び／又は電磁的手段であってもよく、或いは前述の如何なる組合せ（例えば、電気機械的）によるものであってもよい。図示されている使い捨て可能な電極Ｅ1については、電極Ｅ1は、電極を患者に接続し、患者からの電気信号をセンサに伝えるための導電性ゲルを含む。本発明の幾つかの実施形態においては、電極は使い捨て可能でないものも考えられている。
【００１３】
一般に、電極Ｅ1、Ｅ2・・・Ｅnは、作動上は同じであり、看護人にパックとして提供される。例えば、図３に示すように、パック１２０は、ライナ１２５に結合された複数の電極Ｅ1、Ｅ2・・・Ｅn（例えば、１０個）を含む。ライナ１２５は、電極を該ライナ１２５からはずすことが可能な材料でできている。例えば、看護人が電極Ｅ1を取り外す際に、導電性ゲルを含む電極Ｅ1がライナ１２０からはずれるように、導電性ゲルによって電極Ｅ1をライナに結合することができる。更に、図４及び図５に示すように、ライナ１２０は、患者の図示表示を含むことができ、及び／又は患者の外形を示すように形成することもできる。このことにより、技術者が患者に電極を取り付ける所定位置を視認できるようになる。
【００１４】
電極Ｅ1、Ｅ2・・・Ｅnを患者に取り付けるとき、看護人は、各々の電極Ｅ1、Ｅ2・・・Ｅnをライナ１２５から引き離し、該電極Ｅ1、Ｅ2・・・Ｅnを患者に取り付ける。各々の電極は、電極Ｅ1、Ｅ2・・・Ｅnを取り付けるときに、オペレータを助けるために、非文字数字式記号又は識別子１３０（図２）を含む。ここで用いられる用語「非文字数字式記号」は、患者への電極の取付け位置を定めるか又は識別するものと定義される。つまり、各々の電極Ｅ1、Ｅ2・・・Ｅnは、他の電極（例えば、Ｅ2…Ｅn）に関連して、電極（例えば、Ｅ1）の取付け位置を識別する非文字数字式記号１３０を含む。
【００１５】
図３から図７までは、複数の電極Ｅ1、Ｅ2、Ｅ3、Ｅ4、Ｅ5、Ｅ6、Ｅ7、Ｅ8、Ｅ9及びＥ10を有する異なる電極パック１２０、１３５、１４０、１４５、１５０及び１５５を示す。電極パック１２０、１３５、１４０、１４５、１５０及び１５５は、１２リード配置のための１０個の電極を含む。具体的には、Ｅ1、Ｅ2、Ｅ3、Ｅ4は、右腕（ＲＡ）、右脚（ＲＬ）、左脚（ＬＬ）及び左腕（ＬＡ）に対応し、Ｅ5、Ｅ6、Ｅ7、Ｅ8、Ｅ9、Ｅ10は、胸部電極Ｖ１、Ｖ２、Ｖ３、Ｖ４、Ｖ５及びＶ６に対応する。電極Ｅ1からＥ10までの各々は、非文字数字式記号（例えば、図２の記号１３０）を有する。
【００１６】
図３に示すように、電極Ｅ1からＥ10までの各々は、印（例えば、印１７０Ｅ6）を有する図形（例えば、電極Ｅ6の楕円１６０）を含む。ここで用いられる用語「印」は、電極のセット（例えば、電極Ｅ1からＥ10まで）において電極（例えば、電極Ｅ6）を定める識別マーク、模様、デザイン、又は形状を意味する。印（例えば、印１７０）は、オペレータが、電極を電極用の正しい場所で患者に取り付けるときの助けになる。図３に示す実施形態の場合は、印は、図形への陰付けであり、リードの順序及び取付け位置を示すために用いられる。
【００１７】
図４に示すように、印（例えば、印１７０）は、顔の一部分を含む。顔の使用は、十分に立証された、顔を識別する人間の能力を利用するものである。四肢用リードは、適切な向きに配置されたときに「心臓に向いた」完全な顔を有する。Ｖリードは、左から右へ移るにつれてより詳細がわかる顔を有する。更に、リードは、電極の配向を助ける「指針」又は「基準」を含むことができる。例えば、図４に示すように、マーキング１７２は、電極（Ｅ1、Ｅ2、Ｅ3、Ｅ4）の配向を助ける。電極の１つ（例えば、図４の電極１７５）については、電極は如何なるマーキングも含まなくてよい（即ち、マーキングがないことが印である）。他の実施形態においては、電極が適切に位置合わせされたときに写真画像の場面が見えるように、該場面が電極上に印刷される。
【００１８】
図５については、印はドットを含み、このドットの位置及び寸法が変化する。図６については、印は少なくとも１つのドットを含み、ドットの数及び／又は位置が変えられることができる。図７については、印は図形の形状である。図８については、印は図６の印に類似しているが、非文字数字記号は図形を含まない。また、看護人が患者に電極を取り付けるのを更に助けるように、電極が文字数字式識別子（例えば、図７を参照のこと）を含むことも考えられる。しかしながら、文字数字式識別子を含む実施形態については、少なくとも２つの電極が非文字数字記号を含む。更に、色コードを含む工業規格ラベル付けを電極Ｅ1、Ｅ2・・・Ｅnに付加することも考えられる。
【００１９】
図１及び図２に戻ると、電極Ｅ1、Ｅ2・・・Ｅnは、インタフェース・ケーブル２００によって中央ユニット１１０に接続される。電極Ｅ1、Ｅ2・・・Ｅn及びインタフェース・ケーブル２００は、リードセットを形成する。インタフェース・ケーブル２００は、電極Ｅ1、Ｅ2・・・Ｅnと入力端子２０５との間を直接つなぐものである。インタフェース・ケーブル２００により、患者から中央ユニット１１０へ感知されたＥＣＧ信号を伝えることが可能になる。インタフェース・ケーブル２００は、受動ケーブルであることが好ましいが、代わりに、ケーブル２００が、ＥＣＧ信号を増幅し、ＥＣＧリードに組み入れるための能動回路を含んでもよい。インタフェース・ケーブル２００は、クリップ２１０を介してそれぞれの電極に接続される複数のリード線（例えば、リード線１１５）を含む。図２に示すように、クリップ２１０はまた、非文字数字式記号すなわち識別子２１５を含むことができる。非文字数字式記号２１５によって、オペレータがリード線を正しい電極に接続することが可能になる。１つの実施形態において、リード線のクリップ上の非文字数字式記号は、電極上の非文字数字式記号に対応する。従って、オペレータは、非文字数字式記号を用いて、電極Ｅ1、Ｅ2・・・Ｅnを正しく患者に取り付けることができ、クリップ２１０上の非文字数字式記号を用いて、リード線１１５を正しく電極に取り付けることができる。リード線を電極に接続するために他の締着装置を使用することもでき、非文字数字式記号を他の場所に（例えば、直接リード線上に）配置することも考えられる。
【００２０】
他の実施形態において、電極Ｅ1、Ｅ2・・・Ｅnは、無線周波数（「ＲＦ」）信号を中央ユニット１１０に接続された１つ又はそれ以上のアンテナへ送る遠隔地設置の送信器を通じて、該中央ユニット１１０と通信することができる。更に他の実施形態において、リード線は、装置１００に直接接続される（即ち、図１に示されるように、この線はインタフェース・ケーブルに「組み込まれて」いない）。
【００２１】
図１に示すように、生理信号分析装置１００は、他の生理的センサ（例えば、センサＳ1）を更に含むことができる。このセンサＳ1は、患者に接続することができ、患者からの生理信号を取得する。例えば、センサＳ1を、非侵襲性の血圧センサ、二酸化炭素センサ、脈拍酸素測定センサ、温度センサなどにしてもよい。電極Ｅ1、Ｅ2・・・Ｅnと同様に、図示された実施形態の場合、センサＳ1は、入力端子２３０において中央処理ユニット１１０に接続される。
【００２２】
中央ユニット１１０は、生理信号を受け取り、該信号を処理し、及び／又は分析し、処理された信号を伝達し、及び／又は、結果物としての分析を出力する如何なる中央ユニットとしてもよい。図示された実施形態については、中央ユニットは、１つ又はそれ以上のオペレータ制御入力装置２３５、コントローラ２４０、及び１つ又はそれ以上の出力装置２４５を含む。オペレータ制御入力装置２３５により、オペレータ（例えば、技術者、看護士、医者など）が、生理信号分析装置１００を制御し、及び／又はデータを中央ユニット１１０へ提供することができるようになる。オペレータ制御入力装置２３５は、中央ユニット１１０に組み入れることができ（例えば、１つ又はそれ以上の押しボタン、１つ又はそれ以上の調整用つまみ、位置指示装置、キーボードなど）、或いは、代わりに、独立型の装置にすることもできる（例えば、独立型のキーボードなど）。例としてのオペレータ制御入力装置２３５は、調整用つまみ、キーボード、キーパッド、タッチスクリーン、位置指示装置（マウス、トラックボール）などを含む。
【００２３】
コントローラ２４０は、１つ又はそれ以上の生理信号入力装置１０５、及び１つ又はそれ以上のオペレータ制御入力装置２３５から入力信号を受け取る。入力信号は、入力又はデータを含む。コントローラ２４０は、その入力を分析し、出力信号を１つ又はそれ以上の出力装置２４５に伝える。出力信号は、出力又はデータを含む。
【００２４】
１つの実施形態において、コントローラ２４０は、プロセッサとメモリを含む。メモリは、命令を有する１つ又はそれ以上のソフトウェア・モジュールを含み、プロセッサは、装置１００を制御するために、１つ又はそれ以上のソフトウェア・モジュールの命令を検索し、翻訳し、実行する。しかしながら、本発明と共に他のコントローラを用いてもよいと考えられる。例えば、コントローラ２４０は、他のアナログ及び／又はデジタル論理回路を用いて構成することができ、集積及び／又は個別回路素子を含むことができる。更に、コントローラ２４０は、該コントローラ２４０を支持するために、当業者には明らかである他の素子（例えば、１つ又はそれ以上のアナログ・デジタル変換器、１つ又はそれ以上の駆動装置、１つ又はそれ以上の電源、１つ又はそれ以上の増幅器、１つ又はそれ以上のフィルタなど）を含むことができる。
【００２５】
１つ又はそれ以上の出力装置２４５は、コントローラ２４０から出力信号を受け取り、看護人へのインターフェースを提供する。出力装置２４５は、プリンタ、表示装置、記憶装置（例えば、磁気ディスクドライブ、読み取り／書き込みＣＤ−ＲＯＭなど）、サーバ、又はネットワークを介して接続される他の処理ユニットを含むことができる。勿論、他の出力装置を付加又は取り付けることができる（例えば、音声出力装置）。更に、生理信号分析装置１００の作動のために全ての出力装置が必要とされるとは限らない。
【００２６】
作動においては、看護人は、電極のパック（例えば、パック１２０）を取得し、電極をライナ１２５から取り外し、該電極を患者に取り付ける。１つの実施形態において、看護人は、電極Ｅ1からＥ10までを非対称的な配置で患者に取り付ける。非対称的な配置が、図９に概略的に示される。
【００２７】
非対称的取付け方法は、１０個の電極を使用し、１２のＥＣＧリードを生成する。６個の電極は、胸部に取り付けられ、Ｖ１、Ｖ２、Ｖ３、Ｖ４、Ｖ５及びＶ６と呼ばれる。Ｖ１、Ｖ２、Ｖ３、Ｖ４、Ｖ５及びＶ６という用語は、ここでは説明のために用いられており、他の用語又は記述を用いることもできる。
【００２８】
１つの実施形態において、Ｖ１電極は、胸骨の右縁のほぼ第４の肋間隙に取り付けられる。Ｖ２電極は、胸骨の左縁のほぼ第４の肋間隙に取り付けられる。Ｖ４電極は、左鎖骨中線のほぼ第５の肋間隙に取り付けられる。Ｖ３電極は、位置Ｖ２とＶ４の間のほぼ中間に取り付けられる。Ｖ５電極は、ほぼ前腋窩線に、Ｖ４と同じ水平レベルで取り付けられる。ここで用いられる用語「水平の」は、あたかも被験者が立っているかのように、背骨の軸線に垂直な線を言う。他の実施形態において、Ｖ５電極は、Ｖ４電極とＶ６電極の間の中間として特定される。Ｖ６電極は、ほぼＶ４及びＶ５と同じ水平レベルの腋窩中線に取り付けられる。
【００２９】
６個の胸部電極に加えて、４個の付加的な電極が患者の身体に取り付けられる。これらの４個の電極は、ＲＡ、ＲＬ、ＬＬ及びＬＡ電極と呼ばれる。ＲＡ、ＲＬ、ＬＬ及びＬＡという用語は、ここでは説明のために用いられており、他の用語又は記述を用いることもできる（例えば、第１、第２、第３及び第４の電極）。ＲＡ電極は、鎖骨（即ち、鎖骨）下縁の下方２ｃｍから三角筋縁の内側の範囲の、ほぼ右側鎖骨下窩から外側鎖骨の遠位及び下方までの範囲に取り付ける。ここで用いられる左及び右という用語は、患者の左及び右を言う。ＬＬ電極は、肋骨端部と腸骨棘の間の中間の、前腋窩線における、ほぼ臍（即ち、へそ）の高さの下の左下腹部から左足首までの範囲に取り付ける。ＬＡ電極は、ほぼ左手首から（左手首を含む）左腋窩（即ち、わきの下）までの範囲に取り付けられる。ＲＬ電極は、身体のどこに取り付けてもよいが、他の電極のすぐ隣には取り付けない。従って、ＲＡ、ＬＬ及びＲＬ電極は患者の胴部に取り付けられるが、ＬＡ電極は四肢に取り付けられる。このことにより、診断取付け方法と比べて、患者が幾らかより自由に動けるようになり、アーチファクトの発生を減少させることができ、モニタリング取付け方法に比べて、歪み又は臨床的な相違を減らすことができる取付け方法がもたらされることになる。
【００３０】
好ましい実施形態において、ＲＡ電極は、鎖骨下縁の下方２ｃｍから三角筋縁の内側の範囲の、ほぼ右側鎖骨下窩に取り付けられる。ＬＬ電極は、助骨端部と腸骨棘の間の中間の、前腋窩線における臍の高さの下のほぼ左下腹部に取り付けられる。ＬＡ電極は、肩部からちょっと離れた腕部の外側又は前部に取り付けられるが、筋肉上ではない。ＲＬは、胴部のどこにでも取り付けられるが、他の電極のすぐ隣には取り付けない。
【００３１】
このように、本発明は、とりわけ、新規で有益な、複数の電極リードを有する生理信号分析装置を提供する。本発明の種々の特徴及び利点は、前述の特許請求の範囲において記載されている。
【図面の簡単な説明】
【図１】  生理信号分析装置の概略図。
【図２】  本発明の１つの態様を組み入れた電極及びリード線の平面図。
【図３】  本発明の別の態様を組み入れた種々の電極パックの平面図。
【図４】  本発明の別の態様を組み入れた種々の電極パックの平面図。
【図５】  本発明の別の態様を組み入れた種々の電極パックの平面図。
【図６】  本発明の別の態様を組み入れた種々の電極パックの平面図。
【図７】  本発明の別の態様を組み入れた種々の電極パックの平面図。
【図８】  本発明の別の態様を組み入れた種々の電極パックの平面図。
【図９】  本発明の更に別の態様を組み入れた取付け方法の概略図。
【符号の説明】
１００  生理信号分析装置
１０５  信号入力装置
１１０  中央ユニット
１１５  リード線
１２０、１３５、１４０、１４５、１５０、１５５  電極パック
１２５  ライナ
１３０  非文字数字式記号
１６０  楕円
１７０  印
１７２  マーキング
１７５  電極
２００  インタフェース・ケーブル
２１０  クリップ
２０５  入力端子
２１５  非文字数字式記号／識別子
２３０  入力端子
２３５  入力装置
２４０  コントローラ
２４５  出力装置
【図１】
0004424647.tif 000002
【図２】
0004424647.tif 000003
【図３】
0004424647.tif 000004
【図４】
0004424647.tif 000005
【図５】
0004424647.tif 000006
【図６】
0004424647.tif 000007
【図７】
0004424647.tif 000008
【図８】
0004424647.tif 000009
【図９】
0004424647.tif 000010